(57)【要約】【課題】多軸蝶番の破損時の交換に際して、多軸蝶番の交換作業を容易にすることができる弾球遊技機を提供する。【解決手段】内枠体４の前面に透明板保持枠５を上下一対の多軸蝶番３１により連結し、各多軸蝶番３１は、内枠体４側と透明板保持枠５側とに取り付けられる支持部材３２ａ，３２ｂと、各支持部材３２ａ，３２ｂに回動自在に軸支されるリンク板３３ａ，３３ｂと、からなる弾球遊技機１であって、内枠体４側の支持部材３２ａでありかつ該内枠体４前面と対向する面に窪み部３７を設けると共に該窪み部３７の奥端に螺子孔３８を設け、前記内枠体４の後側から該内枠体４に設けられた通孔５１を介し螺子孔３８に螺子５２をその頭部５２ａが窪み部３７に嵌り内枠体４の後面から後方へ突出しないようにして着脱自在に螺締し、一方、前記透明板保持枠５側の上下の両支持部材３２ａ，３２ｂに取付部材４１を固着し、取付部材４１に透明板保持枠５を着脱自在に取り付けるようにした。【選択図】　図１３
2004081596.tif 000002
【特許請求の範囲】
【請求項１】
遊技盤が後面に当接して固定される内枠体の前面に、透明板保持枠を上下一対の多軸蝶番により連結できるようにし、前記各多軸蝶番は、前記内枠体側と透明板保持枠側とに取り付けられる支持部材と、両端部に設けた棒状軸部が前記各支持部材に回動自在に軸支されるリンク板と、からなる弾球遊技機であって、前記内枠体側の支持部材でありかつ該内枠体前面と対向する面に窪み部を設けると共に該窪み部の奥端に螺子孔を設け、前記内枠体の後側から該内枠体に設けられた通孔を介し前記螺子孔に螺子をその頭部が前記窪み部に嵌り前記内枠体の後面から後方へ突出しないようにして着脱自在に螺締し、一方、前記透明板保持枠側の上下の両支持部材に取付部材を固着し、前記取付部材に前記透明板保持枠を着脱自在に取り付けるようにしたことを特徴とする弾球遊技機。
【発明の詳細な説明】
【０００１】
【発明の属する技術分野】
本発明は、遊技盤が固定される内枠体と透明板保持枠とを連結するために使用される多軸蝶番を内枠体から取り外して交換できるようにした弾球遊技機に関するものである。
【０００２】
【従来の技術】
従来、弾球遊技機の一種であるパチンコ遊技機は、縦長方形状をなす外枠の前面に遊技盤を固定した内枠体が装着され、この内枠体の前面には、前記遊技盤の前面を覆う透明板保持枠がその一側を支点にして一軸のみで開閉可能に軸着されている。
【０００３】
近時、パチンコ遊技機では、遊技の興趣を盛り上げるためその前面を合成樹脂材で成形すると共に前側へ張り出させるなどデザイン的に趣向が凝らされ、これにより前記透明板保持枠の厚みが非常に大きくなる傾向にある。これは反面、遊技機設置島に列設されるパチンコ遊技機における透明板保持枠を一方に開ける場合、この透明板保持枠が一軸のみにより軸着されていることから、隣接する他のパチンコ遊技機の透明板保持枠、球貸し機の突出部などに干渉してその開閉動作に支障を来たす危険性があることを意味し、これを防止するため、前記軸着部に自由度のある二軸からなる多軸蝶番を利用することが考えられる。
【０００４】
【発明が解決しようとする課題】
ところで、前記透明板保持枠は、そのデザイン化が進行するにつれ全体の重量も嵩むことになり、その分多軸蝶番にも透明板保持枠の自重による負担が掛かる。このため、たとえば前記多軸蝶番を内枠体にカシメ手段などにより着脱不能にしっかり固着してしまうと、仮に、前記多軸蝶番が曲がったり折れるなどして破損し交換する必要が生じた場合、多軸蝶番が内枠体と分離できないことから、内枠体も同時に交換せねばならないこととなる。しかしながら、このためには前記内枠体を外枠から外すと共に各種配線、その他の付属部品などを取り外すなど交換作業が大掛かりとなり、煩雑かつ面倒であるばかりか多くの作業時間も要する。また、本来使用できる内枠体までも廃棄することになるので、無駄が多く余分なコストが掛かるといった課題が有る。
【０００５】
そこで、本発明は上記課題に鑑みてなされたもので、多軸蝶番を内枠体に交換可能に取り付け、破損時の交換に際しても、内枠体および透明板保持枠から多軸蝶番のみを簡単に取り外すことができるようにして、多軸蝶番の交換作業を容易にすると共にメンテナンスの向上が可能となり引いては無駄がなく余分なコストを必要としない弾球遊技機を提供することを目的とするものである。
【０００６】
【課題を解決するための手段】
かかる目的を達成するために、本発明は、遊技盤が後面に当接して固定される内枠体の前面に、透明板保持枠を上下一対の多軸蝶番により連結できるようにし、前記各多軸蝶番は、前記内枠体側と透明板保持枠側とに取り付けられる支持部材と、両端部に設けた棒状軸部が前記各支持部材に回動自在に軸支されるリンク板と、からなる弾球遊技機であって、前記内枠体側の支持部材でありかつ該内枠体前面と対向する面に窪み部を設けると共に該窪み部の奥端に螺子孔を設け、前記内枠体の後側から該内枠体に設けられた通孔を介し前記螺子孔に螺子をその頭部が前記窪み部に嵌り前記内枠体の後面から後方へ突出しないようにして着脱自在に螺締し、一方、前記透明板保持枠側の上下の両支持部材に取付部材を固着し、前記取付部材に前記透明板保持枠を着脱自在に取り付けるようにした構成からなる。
【０００７】
前記多軸蝶番が破損して交換する必要が生じたときは、取付部材から透明板保持枠を外し、また、前記螺子を取り外して内枠体から多軸蝶番を外すようにする。これにより、多軸蝶番のみの交換が可能になり、多軸蝶番の交換作業が容易になると共にメンテナンスの向上も可能となり、しかも、ほとんど無駄がなく余分なコストが掛からない。
【０００８】
【発明の実施の形態】
次に、本発明に係る弾球遊技機の実施の形態を図面を参照して説明する。なお、弾球遊技機には、パチンコ遊技機、アレンジボール式遊技機、雀球遊技機等の遊技機があるが、その一例としてパチンコ遊技機について説明する。図１はパチンコ遊技機の正面図、図２は同透明板保持枠を開いた状態の斜視図、図３は同透明板保持枠と前面板と前面下部板を取り外した状態の分解斜視図である。パチンコ遊技機１は、縦長方形状に枠組みされる木製の外枠２と、該外枠２の一側にヒンジ機構３によって開閉自在に装着される内枠体４とを備え、該内枠体４の前面一側に透明板保持枠５と、打球供給皿６を有する前面板７及び余剰球受皿８を有する前面下部板９とを開閉自在に軸着して構成されている。
【０００９】
前記内枠体４は、鉄板等の金属板によって成形されており、上部に後記する遊技盤１４が臨む開口部１０が開設され、その下部が板状部１１ａとして成形された主枠部１１からなる。前記主枠部１１の外周縁側は、前方に直角に折曲され断面形状がＬ字状に形成されており、さらにその外周縁部の内側に沿って外枠２の前縁に当接する段部１２および前方へ突出して該段部１２の外側を囲う囲い枠部１３が形成されている。
【００１０】
そして、内枠体４の後面に前記開口部１０に前面が臨むようにして遊技盤１４が当接して固定される。なお、前記遊技盤１４の前面の遊技部には、例えば数字、図柄等の識別情報を変動表示する可変表示装置、パチンコ球が入賞することによって前記可変表示装置を電気的に作動させる始動入賞口、前記識別情報が特定の組合せ（例えば「７７７」）に揃い大当たり状態になったとき、一定の条件の下で一度に多くの入賞球を発生させる大型の入賞装置、風車、などの盤面部品が装着される。また、前記開口部１０の下方の板状部１１ａには、パチンコ球を遊技盤１４面へ打込むための打球発射機構１５、遊技中大当り状態になった時などに後記する中・高音スピーカ５５と共に低音を発生させる低音スピーカ１６および打球供給皿６から球抜きした球または発射するも戻ってきたファール球等のパチンコ球を余剰球受皿８に誘導するための通路構成体１７がそれぞれ装着されている。さらに、前記開口部１０の上方の主枠部１１に、横長に成形された状態表示基板１８が取り付けられている。この状態表示基板１８にはその前面に、前記透明板保持枠５を開放したとき、これをホールコンピュータ（図示せず。）へ電気的に出力する扉開放スイッチ１９、およびエラー状態が生じたとき、これをホールの係員に知らせる状態表示ランプ２０が共に一体に設けられている。
【００１１】
前記外枠２と内枠体４のヒンジ機構３は、上部ヒンジ機構３ａと下部ヒンジ機構３ｂとから構成されている。上部ヒンジ機構３ａは、図４に示すように外枠２の外側の上部隅部に取り付けられる上部固定金具２１と内枠体４の一側上部にビス止めして固着される上部可動金具２２とからなる。上部固定金具２１には、外枠２の上面端部から前方へ水平に突出する突出片２１ａが設けられ、この突出片２１ａの先端部に外側へ向かって開口する切欠き溝２３ａと連通する軸受孔２３が貫設されている。また、上部可動金具２２には、先端下面に前記軸受孔２３に嵌合する上ヒンジ軸２４が下向きに突設されている。一方、下部ヒンジ機構３ｂは、図５に示すように外枠２内側の下部隅部に取り付けられる下部固定金具２５と内枠体４の一側下部にビス止めして固着される下部可動金具２６とからなる。下部固定金具２５には、先端上面に下ヒンジ軸２７が上向きに突設され、下部可動金具２６には、前記下ヒンジ軸２７に嵌合する軸孔２８が貫設されている。
【００１２】
そして、下部可動金具２６の軸孔２８を下部固定金具２５の下ヒンジ軸２７に上方から嵌合させて連結し、次に、図６、図７に示すように内枠体４を外枠２に対しほぼ直角状に開放した状態に位置させて、該内枠体４の上部可動金具２２を外枠２の上部固定金具２１に接近させ、上部可動金具２２の上ヒンジ軸２４を上部固定金具２１の突出片２１ａの切欠き溝２３ａに臨ませて内枠体４を外枠２に押し付ける。これによって、上ヒンジ軸２４が上部固定金具２１の軸受孔２３に嵌合され、内枠体４がヒンジ機構３を支点にして外枠２に開閉自在に装着される。
【００１３】
前記上部固定金具２１における突出片２１ａには、図８に示すようにその下面の外側縁に沿って下方へ突出する張出板部２９が設けられ、この張出板部２９の後端面に前記透明板保持枠５を閉じて施錠したとき、この透明板保持枠５の上端面に沿って成形される凸条部３０ａに係合する切欠凹部３０ｂが設けられている。これは、透明板保持枠５が後記するように多軸蝶番３１により内枠体４に連結されている関係上、閉まった状態でも多軸蝶番３１に自由度が有ることによって軸支側が不安定となり、このため、透明板保持枠５を前側へ浮き出させて内枠体４と透明板保持枠５との間に隙間Ｓを開け、そこからピアノ線等の線材を遊技盤１４面に這わせ入賞装置を故意に作動させて景品球を得るという不正行為が行なわれる危険性が有ることから、透明板保持枠５が無用に前側へ浮き出ないようにしてこれを防止するためである。なお、前記凸条部３０ａと切欠凹部３０ｂは、透明板保持枠５を開けるとき、凸条部３０ａが側方へ移動してその係合が自然と外れ、透明板保持枠５の開閉動作が支障なく行なえるようになっている。
【００１４】
前記内枠体４の軸支側には、図９に示すようにその前面に透明板保持枠５を連結するための多軸蝶番３１が設けられる。多軸蝶番３１は、リンク板の二枚ある二連二軸蝶番であって、金属製からなり内枠体４前面に上下一対配置され、図１０、図１１に示すように内枠体４側と透明板保持枠５側とにそれぞれ取り付けられる支持部材３２ａ，３２ｂと、両支持部材３２ａ，３２ｂを連結する二枚のリンク板３３ａ，３３ｂとからなる。前記内枠体４側に取り付けられる支持部材３２ａは、底板３４の両端縁から側板３５を同方向へほぼ直角に折り曲げて成形される。両側板３５間の寸法は、前記リンク板３３ａ，３３ｂの縦幅寸法とほぼ同一となりかつその間でリンク板３３ａ，３３ｂが回動し得るように設定してある。また、前記両側板３５には対向位置して二対の軸孔３６が貫設されており、この内、一方の側板３５の軸孔３６は、その側板３５の外側縁で開放される導入溝３６ａと連通している。前記底板３４には、側板３５と同方向へ円錐状に窪む二個の窪み部３７が設けられ、その奥端に螺子孔３８が開設されている。
【００１５】
一方、前記透明板保持枠５側に取り付けられる支持部材３２ｂも、底板３４の両端縁から側板３５を同方向へほぼ直角に折り曲げて成形され、両側板３５間の寸法は前記リンク板３３ａ，３３ｂの縦幅寸法とほぼ同一となりかつその間でリンク板３３ａ，３３ｂが回動し得るように設定してある。同様に、前記両側板３５には対向位置して二対の軸孔３６が貫設されており、この内、一方の側板３５の軸孔３６はその側板３５の外側縁で開放される導入溝３６ａと連通している。
【００１６】
前記各リンク板３３ａ，３３ｂは、横長に成形され、その両端縁にそれぞれ前記各軸孔３６に嵌入して軸支される棒状軸部３９が一体に設けられている。これら棒状軸部３９はリンク板３３ａ，３３ｂの各上下の端縁よりも外側へ突出している。一方の第一リンク板３３ａは、途中一個所が水平面内で緩く折れ曲り、また、他方の第二リンク板３３ｂは、途中二個所が水平面内でしかも互いに逆向きに折れ曲がって成形されている。
【００１７】
４０は前記上下の第一リンク板３３ａを連結するための金属製の連結部材であり、縦長基板４０ａの短手方向の両端縁からそれぞれ高さの異なる支板４０ｂ，４０ｃを外側へほぼ直角に折り曲げて成形される。そして、前記上下の第一リンク板３３ａの一側面に、各支板４０ｂ，４０ｃが外側を向くようにして縦長基板４０ａを当接し、互いにカシメ止めして固着される。これにより、透明板保持枠５の開閉時には、上下の各第一リンク板３３ａが同期動作をすることになり、上下の各多軸蝶番３１間の動作ずれが少なくなって、透明板保持枠５のぐらつきが抑制される。また、４１は透明板保持枠５を着脱自在に取り付けるための金属製の取付部材であり、縦長当板４１ａの短手方向の両端縁からそれぞれ同方向へ外側板４１ｂ，４１ｃをほぼ直角に折り曲げて成形される。縦長当板４１ａには、その上下部に取付用口４２が開設され、該各取付用口４２を横断するように水平な係止杆４３が横架されている。両係止杆４３間の寸法は、透明板保持枠５側に設けられる後記する上下の装着部材４５間の寸法と同じにしてある。そして、両外側板４１ｂ，４１ｃ間に各支持部材３２ｂが嵌り込むようにして、縦長当板４１ａを各支持部材３２ｂの底板３４に当接し、互いにカシメ止めして固着される。
【００１８】
前記透明板保持枠５は、内枠体４の上半部分を全幅にわたって覆う大きさに形成され、その中央部に遊技盤１４前面の遊技部が視認可能な円形状の開口４４が形成される合成樹脂製の本体枠５ａと、該本体枠５ａの裏面側に装着される補強金属板５ｂとから構成されている。前記本体枠５ａは、開口４４の外周縁部を前側へ最も張り出させてその外観が火山のようにデザイン化されており、透光性の部分と非透光性の部分とが複雑に入り組んでいる。前記補強金属板５ｂの軸支側には、その上下部に前記各係止杆４３に嵌合するための装着部材４５がビス４５ａにより縦向きに固着されている。各装着部材４５は、図１２に示すように補強金属板５ｂにビス止めされる支持部４６と、該支持部４６に上下方向へスライド自在に装着され、その上端に傾斜面４７が設けられた滑動子４８と、該滑動子４８を常に上方へ付勢するばね４９とからなり、前記支持部４６に前記係止杆４３が保持されるＵ字形溝５０が設けられている。
【００１９】
そこで、前記内枠体４の前面に多軸蝶番３１を取り付けるには、図１３（イ）に示すように前記上下の多軸蝶番３１における一方の各支持部材３２ａを、その底板３４が内枠体４の主枠部１１の前面と対向するようにして該主枠部１１前面に配置する。そして、各支持部材３２ａ側の各螺子孔３８と主枠部１１に開設される通孔５１を合致させた状態で、図１３（ロ）に示すように主枠部１１の後側から各螺子孔３８に通孔５１を介して螺子である皿小ねじ５２を着脱自在に螺締する。この際、前記皿小ねじ５２の頭部５２ａが窪み部３７内に嵌り、しかも、その一部が主枠部１１の後面から後方へ突出することがなく、内枠体４の後面に遊技盤１４を当接して装着する際に支障が生じないようにしている。このようにして、内枠体４側に支持部材３２ａが取り付けられるが、逆に、主枠部１１の後側から前記各皿小ねじ５２を取り外すことで、内枠体４から各支持部材３２ａが簡単に取り外せるようになっている。
【００２０】
よって、仮に、透明板保持枠５がその自重で開放側へ傾き、これに起因して前記多軸蝶番３１が曲がったり破損した場合は、皿小ねじ５２を取り外して内枠体４から多軸蝶番３１を外す。この際、次に説明するように透明板保持枠５が取付部材４１に着脱自在に取り付けられるから、前記透明板保持枠５も多軸蝶番３１から分離できる。よって、結果的に多軸蝶番３１だけとなり、新しい多軸蝶番３１と容易に交換可能となる。また、これのみの交換で済むことから、無駄がなく余分なコストも掛からないことになる。遊技盤１４の取付に支障の生じない範囲であれば、多軸蝶番３１の内枠体４に対する取付手段は、係合片と係合孔など着脱可能な他の取付手段を用いるようにしても良く、また、多軸蝶番は前記多軸蝶番３１と構成が異なる他のタイプのものであっても適用できる。
【００２１】
一方、取付部材４１に透明板保持枠５を取り付けるには、他方の各支持部材３２ｂに固着された取付部材４１における上下の各係止杆４３に、各取付用口４２を介して透明板保持枠５の装着部材４５を接近させ、滑動子４８の傾斜面４７に係止杆４３を接触させた状態で、透明板保持枠５を取付部材４１に押し付ける。これにより、前記係止杆４３によって前記滑動子４８がばね４９の付勢に抗して後退する。さらに、透明板保持枠５を押し付けることにより、係止杆４３が傾斜面４７の先端から外れて支持部４６のＵ字形溝５０に嵌り込み、同時に滑動子４８がばね４９の付勢で元の位置に復帰して図１４に示すように係止杆４３を外れないように保持する。このようにして、内枠体４の前面一側に透明板保持枠５が多軸蝶番３１により回動自在かつ着脱自在に装着される。前記係止杆４３は水平に配置されていることから、透明板保持枠５が取付け易く、しかも、取り付いた状態では、透明板保持枠５がしっかりと固定され非常に安定する。なお、透明板保持枠５を内枠体４から取り外すときは、滑動子４８をばね４９の付勢に抗して指で後退させながらＵ字形溝５０から係止杆４３を抜き出して外すようにすればよい。
【００２２】
前記上下の多軸蝶番３１は、開けた透明板保持枠５を静かに閉めるとき、図１５実線に示すように、まず、連結部材４０の短い支板４０ｂの先端縁が内枠体４外周縁部の段部１２に当接し、次に、取付部材４１の内側の外側板４１ｂの先端縁が第二リンク板３３ｂの外側面に当接して一端停止する。このときの取付部材４１の縦長当板４１ａ、すなわち透明板保持枠５は、内枠体４の主枠部１１の前面に対し透明板保持枠５が開く方向へ所定の角度傾斜している。この所定の角度Ａは、例えば３．５度程度が好ましい。この状態から図１５鎖線に示すように前記透明板保持枠５を更に内枠体４側へ押しつけて閉めると、前記外側板４１ｂにより第二リンク板３３ｂを押すと共にその弾力性に抗して撓ませることになる。
【００２３】
このように、第二リンク板３３ｂの固定端となる一方の棒状軸部３９（３９ａ）が前記外側板４１ｂの内側に位置し、自由端となる他方の棒状軸部３９（３９ｂ）がその外側に位置することから、最終的に透明板保持枠５を閉めた状態では、取付部材４１の前記外側板４１ｂにより前記第二リンク板３３ｂが所定の押圧力で内枠体４側へ押されその弾性力に抗して撓む。これによって、透明板保持枠５の軸支側が内枠体４側へ引かれる。よって、この状態では、各多軸蝶番３１の前側へ浮き出ようとする力が阻止され、透明板保持枠５と内枠体４との間に隙間Ｓを開けることが難しくなる。よって、これによっても、その隙間Ｓからピアノ線等の線材を遊技盤１４面に這わせ入賞装置を故意に作動させて景品球を得るという不正行為が防止される。また、前記状態では、透明板保持枠５の開放される側に逆に開こうとする力が働くことになる。よって、透明板保持枠５を開ける場合は、開放される側にあらかじめ開こうとする反力が働いていることから、透明板保持枠５が自然と前側へ突出することになるので開け易い。
【００２４】
前記透明板保持枠５の補強金属板５ｂ後面に、本体枠５ａの開口４４の上辺部を除く左右側辺部及び下側辺部を囲うようにしてコ字形に形成された溝枠部材５３が一体的に設けられている。また、該溝枠部材５３に遊技盤１４を透視できる２枚の透明板としてのガラス板５４ａを平行に配置して一体に組立てられる透明枠体５４が上方より挿入嵌合されて保持されている。補強金属板５ｂの前面であって本体枠５ａとの間には、適宜位置に中・高音スピーカ５５、更には、電飾効果を発揮するＬＥＤ５６が配設されている。補強金属板５ｂには、その開放側側辺に、内枠体４及び透明板保持枠５を施錠するためのシリンダー錠５７が臨む貫通孔５８が貫設され、これと対応して、本体枠５ａに前記シリンダー錠５７前端の鍵穴部５７ａが臨む鍵挿通孔５９が開設されている。
【００２５】
図１６に示すように前記本体枠５ａの後面に前記鍵挿通孔５９に対応して、シリンダー錠５７の前端部が嵌入し得る金属製の不正防止枠６０が設けられている。この不正防止枠６０は、後面が開放した箱枠状に成形されると共に後端外周縁には鉛直面内で外方へ伸びるフランジ部６０ａが周設され、このフランジ部６０ａにビス挿通孔６０ｂが設けられる。そして、該ビス挿通孔６０ｂを介して本体枠５ａの後面に設けられたビス孔６１にビス６２を螺締することにより不正防止枠６０が取り付けられる。この不正防止枠６０の前側壁６０ｃには、前記鍵挿通孔５９と連通する挿通孔６０ｄが開設されている。そして、図１７に示すように透明板保持枠５を閉じたとき、鍵穴部５７ａが前側壁６０ｃに当接しかつ前記挿通孔６０ｄに合致して該挿通孔６０ｄをしっかりと塞ぎ、鍵穴部５７ａと挿通孔６０ｄとの間に隙間が生じないように不正防止枠６０の取付位置および挿通孔６０ｄの内径が設定される。よって、透明板保持枠５を閉じた状態では、常に挿通孔６０ｄが鍵穴部５７ａにより塞がれ、シリンダー錠５７の側面に沿わせて貫通孔５８に通すべく、前記挿通孔６０ｄと鍵穴部５７ａとの間からピアノ線等の細い針金を挿入させようとしても不可能となり、これにより不正行為が防止される。
【００２６】
また、前記不正防止枠６０の上下壁６０ｅ間の間隔はシリンダー錠５７の高さ寸法より少し幅広く設定され、それら内面はそれぞれ後方へ向かって漸次広がるように若干傾斜している。更に、後端開放口の内周縁は、シリンダー錠５７が支えずスムーズに入ることができるように湾曲させてある。よって、図１８に示すように透明板保持枠５を閉めるとき、シリンダー錠５７が前記不正防止枠６０に摺接しつつ嵌入するのでガイドの役目も果たされ、透明板保持枠５を内枠体４側へ押し込むのみで、鍵穴部５７ａを鍵挿通孔５９に対して正位置に導くことができ、しかも透明板保持枠５をスムーズに閉めることもできる。また、透明板保持枠５を閉めた状態では、シリンダー錠５７の先端部が不正防止枠６０内に嵌入しているので、透明板保持枠５の安定性が増す。
【００２７】
図３に示すように、前記内枠体４の裏面側であり、その開放側に内枠体４の施錠機構６３が組付けられている。また、内枠体４の前面側であり、その開放側に位置する側縁部分には、固定プレート６４が固着され、この固定プレート６４の内側に透明板保持枠５の施錠機構６５が組み付けられている。前記固定プレート６４には、その前面にシリンダー錠５７を可変式として使用するための設定機構を内蔵した縦長のケース体６６が取り付けられ、その前面にシリンダー錠５７が固着されることになる。これにより、シリンダー錠５７を前側へ引き出すことができ、本体枠５ａが張り出して成形されていても、その鍵穴部５７ａを鍵挿通孔５９に合わせることが可能となる。前記外枠２の開放側内側面の上・下部に係止金具６７が取り付けられ、透明板保持枠５の裏面側に設けられた溝枠部材５３の開放側側面には、Ｌ形係止金具６８が固着されている。そして、前記シリンダー錠５７の鍵穴部５７ａに鍵（図示せず。）を差し込んで一方向へ回動すると、内枠体４の施錠機構６３が作動して外枠２の各係止金具６７との係合が解かれることになり、内枠体４が開放可能な状態となる。一方、内枠体４が開放された状態において、内枠体４を外枠２に押し付けると、内枠体４の施錠機構６３が自動的に作動して外枠２の上部と下部の係止金具６７に係合されるもので、これによって内枠体４が外枠２に施錠されることになる。
【００２８】
上記透明板保持枠５の施錠機構６５にあっては、透明板保持枠５が閉じられた状態のとき、透明板保持枠５の施錠機構６５と透明板保持枠５の上・下部のＬ形係止金具６８とが係合して、該透明板保持枠５が施錠される。そして、前記シリンダー錠５７の鍵穴部５７ａに鍵を差し込んで前記方向とは逆方向へ回動することにより、透明板保持枠５の施錠機構６５と透明板保持枠５の前記各Ｌ形係止金具６８との係合が解除されるもので、これにより透明板保持枠５が解錠されて開放可能な状態となる。
【００２９】
前記前面板７の前面に設けられる打球供給皿６は、パチンコ球を貯留する供給皿本体６９と、装飾カバー部材７０とから構成されている。前記供給皿本体６９は、底面６９ａが緩やかに下り傾斜し、その傾斜下部にパチンコ球を一列に整列し打球発射位置に供給するための整流部７１が設けられている。この整流部７１は、図１９に示すように供給皿本体６９の底面６９ａに段差部７２を設けてその底面６９ａよりも低くなるように成形され、しかも、下流側へ向かって漸次深くなっている。そして、供給皿本体６９に貯留されるパチンコ球は、整流部７１によって一列に整列されながら前面板７に開設された球出口７ａ内に導かれ、打球発射位置へ連続状態で供給されるようになっている。このように、整流部７１に段差部７２を設けることにより貯留されるパチンコ球の球くずれ現象を誘い、その部位での球詰まりを防止するようにしている。
【００３０】
また、前記前面板７の軸支側でありその上端と下端には、図３に示すように透明板保持枠５の軸支側に設けられた装着部材４５と同じ構造の装着部材４５が横向きに固着されている。前面板７は、上下の装着部材４５のＵ字形溝５０を前記内枠体４の前面でありかつ軸支側の下部に固着されるヒンジ金具７３に鉛直に支持されたヒンジ軸杆７４に嵌め込むことにより内枠体４に開閉自在に装着される。一方、前記前面板７の裏面開放側には、上下動可能な係止金具７５が設けられており、この係止金具７５が、前記内枠体４の前面側に設けられた固定プレート６４の下方に折り曲げて形成された上下の係止部７６と係脱可能に係止するようになっている。そして、係止金具７５が上動位置にあるとき、該固定プレート６４の係止部７６に係止されて前面板７が内枠体４の前面に閉止され、係止金具７５が下動位置にあるとき、前記係止部７６との係止が解かれて前面板７を開放することができるようになっている。
【００３１】
前記前面下部板９の前面に設けられる余剰球受皿８は、図３、図２０に示すように前面下部板９の前面に取り付けられるべース板７７と、前面下部板９の前面を装飾する装飾カバー体７８と、前記べース板７７と装飾カバー体７８との間に装着される下皿部材７９とから構成されている。前記べース板７７には、打球供給皿６の余剰球を下皿部材７９に導く下皿口８０とスピーカカバー８１が装着される取付円孔８２とが開設されている。そして、このスピーカカバー８１に対応してその裏側に前記低音スピーカ１６が配置されることになる。また、下皿部材７９は、一側底部に球抜き孔８３ａが設けられ、さらにその底部の下面に球抜き装置８３が設けられる。８４は前記装飾カバー体７８の前面に設けられ、球抜き動作をするための球抜操作ボタンである。
【００３２】
前記装飾カバー体７８の一側には、図２に示すように前側が開放される凹窪部８５が成形され、この凹窪部８５に押ボタン式スイッチユニット８６が着脱自在に装着されている。これは、その上面のスイッチ８７を遊技者が押すことにより、例えば、前記遊技盤１４面に装着される可変表示装置の表示部に表示される数字、図柄等の識別情報の変動動作を遊技者の意志に基き停止できるようにしたものである。なお、前記押ボタン式スイッチユニット８６を使用しない場合は、これの代わりに前記凹窪部８５に灰皿（図示せず。）を装着するようにしても良い。また、前記装飾カバー体７８の他側には、打球の打球力を調節するための操作ハンドル８８が装着されている。この操作ハンドル８８の前面には、円孔８９が開設されると共にこの円孔８９にハンドル本体９０とは別個に成形される振動カバー９１が嵌り込んでいる。また、操作ハンドル８８の内部に前記振動カバー９１を振動させるための振動スピーカ（図示せず。）が配置されている。そして、例えば大当り状態になったとき、前記振動スピーカを作動させて振動カバー９１を振動させることにより、その振動を遊技者の手に触感として伝え、他の音響効果、電飾効果に加え振動を体感できるようにして、遊技の雰囲気を盛り上げるようにしている。
【００３３】
また、前記前面下部板９の軸支側であり、その上端と下端にも前記前面板７と同じく透明板保持枠５の軸支側上端と下端に設けられた装着部材４５と同じ構造の装着部材４５が横向きに固着されている。そして、前面下部板９は、上下の装着部材４５のＵ字形溝５０をヒンジ金具７３に支持されるヒンジ軸杆７４に嵌め込むことにより、内枠体４に開閉自在に装着される。このように、一本のヒンジ軸杆７４を共用して前面板７及び前面下部板９を開閉自在に装着することにより、前面板７及び前面下部板９を無理なく、かつ容易に装着することができる利点がある。
【００３４】
前記前面下部板９には、図２０に示すようにその上端縁に沿って前側が開放される断面コ字状の嵌入溝９２が設けられており、前面下部板９を閉めた状態で、更に、前面板７を閉めたとき、該前面板７の下端縁に沿って後方へ突設されるフランジ部９３が嵌入溝９２内に嵌入する。これにより、前面下部板９が内枠体４の前面を閉止する。一方、前面板７が開放されたときは、前記嵌入溝９２からフランジ部９３が抜け出て、前面下部板９も開放することができるようになっている。また、前面下部板９を閉じたとき、その後面であって開放側に開設された支持孔９４に、内枠体４の下部前面から前方へ突出する支持ピン９５が嵌合し、前面下部板９の開放側を支えることができるようになっている。これは、前面下部板９が軸支側のみを支点とした片持ち式であることから、余剰球受皿８に多くのパチンコ球が貯留されその自重により開放側が下方へ傾くと、前面下部板９の正常な回動動作に支障をきたすおそれがあり、これを防止するためである。
【００３５】
前記外枠２の前面下縁部に設けられる腰板２ａの上端面であって、その略中央位置には、図２１に示すようにビス９６止めにより金属製の主金具９７が取り付けられるようになっている。一方、内枠体４の下端面の略中央位置には、前記主金具９７と対向位置して該主金具９７が接触する金属製の補助金具９８が同じくビス９６止めにより取り付けられるようになっている。前記主金具９７は、腰板２ａの上端面に添わせる水平板部９９ａと腰板２ａの内・外側に添わせる一対の取付板部９９ｂとにより断面コ字状に形成されている。また、前記前側の取付板部９９ｂと水平板部９９ａと後側の水平板部９９ｂとの外側面に亘り、前後方向に沿って外方へほぼ弧状に膨出する畝状突部１００が連続して成形されている。一方、前記補助金具９８は、内枠体４の下端面に位置して主金具９７の畝状突部１００が下面に接触する水平板部１０１ａと内枠体４の主枠部１１の後面に添わせる取付板部１０１ｂとによりＬ字状に形成されている。
【００３６】
そして、主金具９７は、腰板２ａの上面に跨るようにして嵌め込まれ、ビス挿通孔１０２を介して腰板２ａの裏面にビス９６をねじ込むことにより固定される。一方、補助金具９８は、取付板部１０１ｂを主枠部１１の後面に添わせ、ビス挿通孔１０３を介してビス孔１０４にビス９６を螺締することにより固定される。これによって、図２２に示すように内枠体４を開閉動作する際に、内枠体４が重くても補助金具９８の水平板部１０１ａが主金具９７の畝状突部１００に接触することになり、外枠２の腰板２ａの上端面と内枠体４の下端面との重合部の接触摩擦を軽減することができ、外枠２に対する内枠体４の開閉動作を円滑にかつ容易に行うことができるようになっている。前記腰板２ａの前面には化粧板１０５が添設される。これにより、前記前側の取付板部９９ｂは隠され、前側からパチンコ遊技機を見た場合の体裁が損なわれないようになっている。
【００３７】
【発明の効果】
以上説明したように、本発明に係る弾球遊技機は、内枠体の前面に透明板保持枠を上下一対の多軸蝶番により連結できるようにし、各多軸蝶番は、内枠体側と透明板保持枠側とに取り付けられる支持部材と、両端部に設けた棒状軸部が各支持部材に回動自在に軸支されるリンク板と、からなる弾球遊技機であって、前記内枠体側の支持部材でありかつ該内枠体前面と対向する面に窪み部を設けると共に該窪み部の奥端に螺子孔を設け、内枠体の後側から内枠体に設けられた通孔を介し螺子孔に螺子をその頭部が窪み部に嵌り内枠体の後面から後方へ突出しないようにして着脱自在に螺締し、一方、前記透明板保持枠側の上下の両支持部材に取付部材を固着し、取付部材に透明板保持枠を着脱自在に取り付けるようにしたので、多軸蝶番が曲がったり破損した場合も、螺子を取り外すことにより内枠体から多軸蝶番を取り外し、また、透明板保持枠も取り外すことにより多軸蝶番のみの交換ができ、多軸蝶番の交換作業が容易に行えると共にメンテナンスの向上が可能となり、引いては無駄がなく余分なコストも掛からないという効果がある。
【図面の簡単な説明】
【図１】本発明に係るパチンコ遊技機の正面図。
【図２】同透明板保持枠を開いた状態の斜視図。
【図３】同内枠体と透明板保持枠と前面板及び前面下部板を取り外した状態の分解斜視図。
【図４】外枠と内枠体の上部ヒンジ機構部分の分解斜視図。
【図５】外枠と内枠体の下部ヒンジ機構部分の分解斜視図。
【図６】外枠と内枠体の上部ヒンジ機構部分の平面図。
【図７】同側面断面図。
【図８】同側面図。
【図９】透明板保持枠と、外枠に装着された内枠体との要部の分解斜視図。
【図１０】多軸蝶番の斜視図。
【図１１】同分解斜視図。
【図１２】装着部材の斜視図。
【図１３】（イ）多軸蝶番を取り付ける状態を示す内枠体の側面断面図。
（ロ）多軸蝶番を取り付た状態を示す内枠体の側面断面図。
【図１４】透明板保持枠を取付部材に取り付けた状態を示す内枠体と外枠の側面断面図。
【図１５】動作を示す多軸蝶番部分の平面断面図。
【図１６】不正防止枠を分解して示す透明板保持枠の一部裏面斜視図。
【図１７】透明板保持枠を閉めた状態を示すシリンダー錠部分の側面断面図。
【図１８】透明板保持枠を閉める状態を示すシリンダー錠部分の側面断面図。
【図１９】打球供給皿の側面断面図。
【図２０】余剰球受皿の側面断面図。
【図２１】主金具と補助金具とを分解して示すパチンコ遊技機下部部分の斜視図。
【図２２】主金具と補助金具との摺接状態を示すパチンコ遊技機下部部分の側面断面図。
【符号の説明】
１　　　　　　　　　　弾球遊技機（パチンコ遊技機）
４　　　　　　　　　　内枠体
５　　　　　　　　　　透明板保持枠
３１　　　　　　　　　多軸蝶番
３２ａ，３２ｂ　　　　支持部材
３３ａ　　　　　　　　第一リンク板
３３ｂ　　　　　　　　第二リンク板
３７　　　　　　　　　窪み部
３８　　　　　　　　　螺子孔
３９　　　　　　　　　棒状軸部
４１　　　　　　　　　取付部材
５１　　　　　　　　　通孔
５２　　　　　　　　　螺子（皿小ねじ）
５２ａ　　　　　　　　頭部
【図１】
2004081596.tif 000003
【図２】
2004081596.tif 000004
【図３】
2004081596.tif 000005
【図４】
2004081596.tif 000006
【図５】
2004081596.tif 000007
【図６】
2004081596.tif 000008
【図７】
2004081596.tif 000009
【図８】
2004081596.tif 000010
【図９】
2004081596.tif 000011
【図１０】
2004081596.tif 000012
【図１１】
2004081596.tif 000013
【図１２】
2004081596.tif 000014
【図１３】
2004081596.tif 000015
【図１４】
2004081596.tif 000016
【図１５】
2004081596.tif 000017
【図１６】
2004081596.tif 000018
【図１７】
2004081596.tif 000019
【図１８】
2004081596.tif 000020
【図１９】
2004081596.tif 000021
【図２０】
2004081596.tif 000022
【図２１】
2004081596.tif 000023
【図２２】
2004081596.tif 000024